(57)【要約】【課題】従来の健康器具は、現代人に多い手先・首・肩・背・腰・膝・足元に至る骨・筋肉・磨り減った軟骨に潤いを与え、又手先から足元まで宙吊引張捻り回転するのがない。【解決手段】基本枠Ｂを構成する基台Ｂの枠部に伸縮支柱５ａを付設し先端に足先保持回転６に使用者の足先を保持しその状態で身体中央部を回転ベルトで吊るし伸縮支柱５ｂの先端に手先保持回転ハンドルで使用者の手先を保持しその状態で伸縮支柱の高ささらに基台Ｂの裏面に身長拡張調整用横型パイプ１０、５ｂで伸長される方向に操作し足先保持部と手先保持部門の身体を水平・宙吊・拡張し自発能動により捻り回転させる。伸縮支柱５ａ、５ｂ、１０は台形長ネジを電動モータにより回転させ拡張力として作用させるのがよい。【選択図】図２
2009160202.tif 000002
【特許請求の範囲】
【請求項１】
有酸素運動を行い得る、磨り減った軟骨に潤いを与え体の活性化を図る、足先から手先に至る体力トレーニングマシンであって、少なくとも２本の支柱と１本の横型伸縮鋼パイプ１０、腹部吊り用アーム５ｃから構成された、該支柱鋼第１パイプの内側に伸縮支柱鋼２パイプを５ａ、５ｂへ送入し先端に設けた使用者の足先を保持する足先保持回転６と上記伸縮支柱５ｂの先端に設けられた手先保持回転ハンドル７と中央腹部支柱５ａ、５ｂを動力により調整せしめる回転操作部を備え上記足先保持回転部で、使用者の足先が保持された状態で、上記使用者が支柱アームベルトで腹部を吊るし、かつさらに上記伸縮１０、５ｂが伸長されるように上記回転操作部が操作されることにより、上記足先保持回転部と、手先保持回転ハンドルの間に身体を水平宙吊拡張し旋回させるようになしたことを特徴とする体力トレーニングマシン。
【請求項２】
背・腰・及び脚の関節・足先・手先の歪み及びずれを矯正する体力トレーニングマシンであって、ほぼ真直ぐに伸び相互にスライド可能な少なくとも２本の支柱と横型伸縮パイプ１０腹部吊り用アーム５ｃから構成された、該支柱と伸縮支柱の先端に設けた使用者の足先を保持する足先保持回転６と、上記伸縮支柱５ｂの先端に設けられた手先保持回転ハンドル７と中央腹部吊回しベルト用支柱アーム５ｃから成る上記伸縮支柱の高さを調整する高さ調整機構として上記伸縮支柱５ａ、５ｂを５ｂは体長を調整せしめる回転伸縮操作部１０に連結、上記足先保持回転部で使用者の足先が保持された状態で上記使用者が支柱アームベルトで腹部を吊るし、かつさらに上記伸縮支柱が伸長されるように上記回転操作部が操作されることにより、上記足先保持回転部と手先保持回転ハンドルとの間に身体を水平宙吊拡張し旋回させるようにしたことを特徴とする体力トレーニングマシン。
【請求項３】
上記足先保持回転部と手先保持回転部で身体を水平宙吊拡張旋回し、部位の間隔が体格に応じて調整可能となっている請求項２記載の体力トレーニングマシン。
【請求項４】
上記伸縮支柱が身体を水平宙吊拡張し旋回されることにより、上記少なくとも３本の支柱を離間方向に付勢しうる核となる鋼回動台形長ネジ付第１パイプ部材を有し、上記長さ調整機構が上記伸縮支柱の長さに応じて上記のナット付伸縮用鋼第２パイプ部材の有効長さが調整可能となして上記足元保持回転部で使用者の足元が保持された状態で上記手先保持部が使用者の手先保持回転部で保持され、かつさらに上記伸縮支柱が伸長されるように上記回転操作部が操作されることにより上記ナット付鋼第２パイプ部材が拡張されて、上記足先保持回転部と手先保持回転部との間に身体を水平宙吊拡張旋回で作用させるようになした請求項１又は２記載の体力トレーニングマシン。
【請求項５】
上記の伸縮支柱５ａ、５ｂ核となる支柱鋼第１パイプの基元部にペアリング付台形長ネジ付第１パイプの内側に鋼第２パイプを送入し、元部にナットを付設し台形長ネジを動力により回転することにより支柱第２パイプが伸縮調整機構をもち、又基枠Ｂの裏側に横型パイプ１０核となる鋼第１パイプの基元部に回動台形長ネジ付第１パイプを付設し、その鋼第１パイプの内側に第２パイプを送入し、鋼第２パイプの基元部にナットを付設し台形長ネジを送入動力により台形長ネジを回転し横へ鋼第２パイプが伸縮するようになした。その鋼第２パイプの先端に支柱５ｂの基元部を付設し身体を水平宙吊拡張旋回し伸長にあった調整機構が構成されている請求項４記載の体力トレーニングマシン。
【請求項６】
上記伸縮支柱（５ａ、５ｂ）支柱角型鋼第１パイプの内側に鋼第２パイプの下部にナットを付設送入し台形長ネジを反転モータが回転することにより支柱鋼第２パイプが伸縮調整機構をもち又基枠Ｂの裏面に横型パイプ１０の核となる鋼第１パイプを付設し、その鋼第１パイプの内側に鋼第２パイプを送入し、鋼第２パイプの基元部にナットを付設し台形長ネジを送入し回転することにより横へ鋼第２パイプが伸縮するようになした。上記（５ａ）の鋼第２パイプの先端に足元挟み回転台座を送入対設し手元ハンドル（７）が上記（５ｂ）支柱鋼第２パイプの先端へ送入し身体水平宙吊拡張旋回、横へ伸縮機構とした。足元保持には上下からクランク機構により挟み奥をワイヤーによる調整機構とした請求項４記載の体力トレーニングマシン。
【請求項７】
上記足元保持部が、使用者の両足首を上下から挟んで保持する上下一対のバー部材と対設して頭部ハンドル側は手元を金具付手袋でハンドルに引っ掛ける構造になした。請求１又は２記載の体力トレーニングマシン。
【発明の詳細な説明】
【技術分野】
【０００１】本発明は特に有酸素運動により脂肪を燃焼させると共に内臓機能の強化や成人病予防にも役立ちしかも脊髄矯正に役立つ体力トレーニングマシンの装置に関するものである。
【背景技術】
【０００２】
【特許文献】関連すると考えられる（選考技術）  特許文献（１）特開平０６−４７０６８  特許文献（２）特開２０００−２３７２２  特許文献（３）特開２００２−３３６３１４  特許文献（４）特開２００３−１４４４７１  特許文献（５）特開平０７−２７５２１  特許文献（６）特開昭６３−１３００６３
【発明の開示】
【発明が解決しようとする課題】
【０００３】以上に述べた従来の特許文献（１）特開平０６−４７０６８から特許文献（６）特開昭６３−１３００６３これらに至っては身体を水平宙吊、足先から手先に至る肩・腕・全身の回転捻は行なえない。【０００４】本発明は、このような従来の構成が有していた問題を解決しようとするものであり、身体を宙吊・引伸ばし・回転・全身の捻りを効果的に実現することを目的とするものである。
【課題を解決しようとする手段】
【０００５】本発明は上記目的を達成するため基本枠Ｂを構成する枠部に伸縮支柱５ａを先端に足先保持回転６に使用者の足先を保持しその状態で腹部吊回転ベルトを付け、対設して伸縮支柱５ｂの先端に手先保持回転ハンドル７に使用者の手先を保持しその状態で伸縮支柱５ａ、５ｂの高さ、さらに基台Ｂ裏面に身長拡張調整横型鋼パイプ１０の先端に伸縮支柱５ｂを装着し一体化をなすものである。
【０００６】また、これらの課題を解決手段は伸縮支柱５ａ、６及び５ａ、７は電動に至る山形ネジをプーリベルトで回転伸縮作動を行なう。又、基台のＢの裏面に横型鋼伸縮パイプ１０を付設し先端に縦伸縮支柱５ｂを装着し、身体を宙吊、水平、引伸ばす動力は電動モータ、プーリ、ベルト山形ネジを回転することにより伸縮作動を行ない身体の捻り回転は自発能動で行なう。
【０００７】身体を水平・宙吊・引伸自発能動による回転基本同基本枠Ｂ頭部手元回転ハンドルの側面に身体吊下用モータ用スイチボツクス９を設けた。ハンドルを握った状態でスイチレバーを上、下、前後に変える身長高さ調整が可能である。
【０００８】人１の身体を水平・宙吊・引伸ばし・回転・上記のように台形長ネジの力が鋼パイプに加わると人１に張力が加わる。この張力は鋼パイプ５に加わり台形ネジの圧力により決まる。従って台形長ネジの力、５のセット圧の調整により最適の張力が設定できる。
【発明の効果】
【０００９】以上のごとく本発明の体力トレーニングマシンは、身体水平・宙吊・引伸し自発能動捻り回転する様に構成されているので脚部・腰部・背部のみならず肩部・首部においても牽引・ツイスト・屈伸自発捻り回転する事で身体が万遍無く柔らかくもみほぐす体力トレーニングマシンを提供する。
【００１０】さらにこの体力トレーニングマシンは身体を水平・宙吊・引伸し自発能動により捻り回転することにより脊椎関節の正常化が行なえるので現代人に多い首痛・腰痛・腰痛・背痛に対して長年の重圧に足先から頭部・首部・手先に至る関節軟骨の磨耗の復元に、又頭部引張具を使用することにより頚部肩凝りに効果を発揮するものである。
【実施例】
【００１１】以下、本発明の実施の形態を図１〜図６に基づいて説明する。
【発明を実施するための最良の形態】
【００１２】実施例として長年正座した時に３０度左へ傾いていた鹿児島市在住の５６歳のＭ・Ｔ氏が２回の使用で正常体となった。【００１３】図２体力トレーニングマシン断面図
図２の断面図は四区分に分けられる。５ａは足元部、５ｂは手元ハンドル部、５ｃは腹部吊に関する。１０は、５ｂの支柱持支え身体引伸伸縮部である。まず５ａから説明する。５ａは足元部支柱、３は回転丸型台座足挟み具取付板で、６は足挟み具、５ａ（Ｍ）は支柱伸縮用モータ、５ａ（１）は大プーリー、５ａ（２）は小プーリー、５ａ（３）はベルト、５ａ（４）は台形ネジ。【００１４】図２の５ｂは手元ハンドルに関する。５ｂは手元ハンドル支柱、７は手元ハンドル、９派手元ハンドルの側面に宙吊のまま指１本でレバーを前後、上下に曲げる事で伸縮、上下の作動モータに接続９ｂはそのスイチボツクス、１３ａ身体を横たえ頚部頭部引張具合を調整ラセンスプリング付金具、１４頸部引張具、１５は９と兼用スイチ、１５ｂスイチボツクス、１６ｂ大ボルト、手元ハンドルと折具と接続用、１７ｂ支柱金具と手元ハンドルの接続ボルト、１８ｂ支柱パイプと手元ハンドルの接続折込金具、１９上根下根フロートスイチ、２０ａ支柱磨耗防止ベアリング４個使用。【００１５】図２の５について腹部吊、ツイスト用として支柱５ｃ（Ｍ）はモータ、５ｃ（１）大プーリー、５ｃ（２）小プーリー、５ｃ（３）タイミングベルト、５ｃ（４）腹部吊ベルト。【００１６】図２の１０は横型伸縮パイプ、５ｂ支柱の元部を支え接続部であり、又身体宙吊引伸しも兼ねている。１０（ｎ）横型レール伸縮用モータ、１０（１）大プーリー、１０（２）小プーリー、１０（３）タイミングベルト、１０（４）台形長ネジを使用する。【００１７】上記構成の動作を説明する。基本枠Ｂを構成する基台Ｂ枠部に伸縮支柱パイプ５ａを付設し、先端に足先保持回転６に使用者の足先を保持し、その状態で身体の中央部を回転ベルトで吊るし伸縮支柱５ａの先端に手先保持回転ハンドル７で使用者の手先を保持し、その状態で伸縮支柱の高さ、さらに基台Ｂの裏面に身長拡張調整用横型鋼パイプ１０に５ｂを装着し伸長される方向に操作し足先保持部門の身体を水平、宙吊、拡張し自発能動により捻り回転させる伸縮支柱５ａ、５ｂ、１０は台形長ネジを電動モータにより回転させ拡張力として作用させるのがよい。
【図面の簡単な説明】
【００１８】
【図１】体力トレーニングマシンの見取図
【図２】体力トレーニングマシンの断面図
【図３】各鋼支柱断面図
【図４】床裏、水平伸縮パイプの断面図
【図５】頭部手元ハンドル７、９、９ｂの断面図
【図６】足元挟み具６の断面図
【符号の説明】
【００１９】１  人間、身体      Ｂ  基本枠
２  ５ｃ付（プーリー）身体中央部吊用ベルト用
３  回転円型台座、足元挟み具取付、元座
４  ワイヤー足止  ６の調整用
５  ５ａ足元部支柱  ５ｂ頭先支柱  ５ｃ身体中央部吊用アーム支柱
５ａ（Ｍ）は縦型スライド用５ａ正転逆転制御モータ
５ｂ（Ｍ）は縦型スライド用５ｂ正転逆転制御モータ
１０（Ｍ）は横型レール１０角パイプ動力正転逆転制御モータ
５ａ（Ｍ）モータ    ５ｂ（Ｍ）モータ    ５ｃ（Ｍ）モータ    １０（Ｍ）モータ
５ａ（１）大プーリー    ５ｂ（１）大プーリー    ５ｃ（１）大プーリー
１０（１）大プーリー
５ａ（２）小プーリー    ５ｂ（２）小プーリー    ５ｃ（２）小プーリー
１０（２）小プーリー
５ａ（３）タイミングベルト    ５ｂ（３）タイミングベルト
５ｃ（３）タイミングベルト    １０（３）タイミングベルト
５ａ（４）台形長ネジ    ５ｂ（４）台形長ネジ    ５ｃ（４）台形長ネジ
１０（４）台形長ネジ
６  足首挟み  上部２  下部２  帯の材から構成
７  頭部手元ハンドル、ハンドル７の側面に上下前後四方に向け３０度折り曲げ身長の高    さ、宙吊の高さ等の調整用スイッチ盤９が作動
８  頭部引張ぱり具
９  ５ａ（Ｍ）・５ｂ（Ｍ）・５ｃ（Ｍ）各々の正転逆転制御モータスイッチ盤（９）と    （１５）兼用
９（ｂ）  身体中央吊回し用モータ電源スイッチ
１０  １０（Ｍ）モータ付横鋼第１パイプ１０  鋼第２パイプの先端に縦型支柱５ｂを接      続、身体調整用
１１  身体を宙吊足首挟み調整ワイヤーレバー
１２  身体を水平・宙吊り・引伸し・自力回転用（体中央部吊ベルト）巾５０ｍ／ｍ×長      さ１．８００ｍ／ｍ
１３  身体を横たえ首頭部引張具合を調整用ラセンスプリング付金具
１４  身体を横たえ首頭部引張用具
１５  ＡＣ・１００Ｖヒューズ・スイッチ・上下伸縮モータ用スイッチボツクス９と兼用
１６（ａ）  ２５ｍ／ｍ×１００ｍ／ｍボルト・回転座３・足止具６センターを貫通回転            軸・折金具１８ａに止める。
１６（ｂ）  ２５ｍ／ｍ×１００ｍ／ｍボルト・頭部回転ハンドル７・上下伸縮スイッチ            ９のセンターを貫通回転軸・折金具１８ａに止める。
１７（ａ）  ボルト径９ｍ／ｍ×長さ７５ｍ／ｍ足元部３・６と足元部５ａ連結金具止ボ            ルト
１７（ｂ）  ９ｍ／ｍ×７５ｍ／ｍ頭部７・９と頭部５ｂとの連結金具止ボルト
１８（ａ）  足元部３・６と足元部５ａの接続・折込み金具
１８（ｂ）  頭部７・９と頭部５ｂの折込み接続金具
１９（ａ）１９（ｂ）１９（ｃ）  上限下限止用フロートリレー各２個、計６個
２０（ａ）２０（ｂ）  支柱５ａ・５ｂ、鋼第１第２パイプ用にベヤリング小（８）個
２０（ｃ）  横型鋼（１０）の第１第２パイプ用にベヤリング大（４）個使用
【図１】
2009160202.tif 000003
【図２】
2009160202.tif 000004
【図３】
2009160202.tif 000005
【図４】
2009160202.tif 000006
【図５】
2009160202.tif 000007
【図６】
2009160202.tif 000008